(57)【要約】【課題】比較的小規模な設備で製造可能なバッテリー端子を提供する。【解決手段】バッテリー端子１は、バッテリーポスト５１が挿入されるポスト挿入孔２４ｃ，２５ｃを有する本体部２１と、ポスト挿入孔２４ｃ，２５ｃに挿入されたバッテリーポスト５１との間の締付力を調整することで、バッテリーポスト５１に締結された締結状態にする締付部２３と、を備える。本体部２１は、バッテリーポスト５１の軸方向に沿って対向する上側分割体２４及び下側分割体２５から成る二層分割構造であり、上側分割体２４及び下側分割体２５を組み付けた状態で、締付部２３を本体部２１に取り付けることにより一体的に構成される。【選択図】図１
2015115236.tif 000002
【特許請求の範囲】
【請求項１】
バッテリーポストが挿入されるポスト挿入孔を有する本体部と、
前記ポスト挿入孔に挿入された前記バッテリーポストとの間の締付力を調整することで、前記バッテリーポストに締結された締結状態にする締付部と、
を備え、
前記本体部は、前記バッテリーポストの軸方向に沿って対向する第一分割体及び第二分割体から成る二層分割構造であり、
前記第一分割体及び前記第二分割体を組み付けた状態で、前記締付部を前記本体部に取り付けることにより一体的に構成されることを特徴とするバッテリー端子。
【請求項２】
前記第一分割体は、前記第一分割体及び前記第二分割体を組み付ける際に、前記第二分割体を所定位置に誘導する誘導部材を有することを特徴とする、請求項１に記載のバッテリー端子。
【請求項３】
前記本体部は、前記ポスト挿入孔と連続するスリットが形成された環状部を有し、
前記締付部は、
前記バッテリーポストの軸方向と交差する方向であって、前記スリットを横断する方向である幅方向に沿って、前記環状部の一端部から前記スリットを挟んで前記環状部の他端部までを貫通して配置される貫通板と、
前記貫通板の一端部に設けられ、前記貫通板の前記環状部からの抜け出しを防止する抜け止め部と、
前記貫通板の他端部に設けられる締結部材支持部と、
前記締結部材支持部に前記軸方向周りに回転可能に支持される締結部材と、
前記締結部材と螺合する被締結部材と、
前記貫通板の前記他端部側から前記環状部と当接して配置され、前記軸方向周りの前記締結部材の回転に伴って前記締結部材と前記被締結部材との間に発生する前記軸方向の締付力を、前記幅方向のうち前記環状部の前記スリットの間隔を縮小する方向に前記環状部を押圧する前記幅方向の押圧力に変換する押圧力変換部材と、
を備えることを特徴とする、請求項１または２に記載のバッテリー端子。
【発明の詳細な説明】
【技術分野】
【０００１】
本発明は、バッテリー端子に関する。
【背景技術】
【０００２】
従来、車両等に搭載されたバッテリーに立設されたバッテリーポストに取り付けるためのバッテリー端子が知られている。従来のバッテリー端子として、例えば、特許文献１には、ポスト挿入孔にバッテリーポストを挿入した状態で締結させることにより、バッテリーポストに取り付けることができるバッテリー端子の構成が開示されている。特許文献１に記載されるように、一般的に、従来のバッテリー端子では、ポスト挿入孔を含む環状部が、上側部品と下側部品とを上下に積層し、上側部品と下側部品とを連結部で連結して構成されている。バッテリー端子の環状部は、連結部を介して上側部品と下側部品とが一体的に形成され、曲げ加工されることで、連結部を介して上下に積層された構造として成形される。
【先行技術文献】
【特許文献】
【０００３】
【特許文献１】特開平９−２４５７６７号公報
【発明の概要】
【発明が解決しようとする課題】
【０００４】
このようなバッテリー端子は、上下積層構造を成形するために、プレス加工や折り曲げ加工など複数の工程を機械で行わせる必要があり、製造設備が大規模になるという問題があった。
【０００５】
本発明は、上記に鑑みてなされたものであって、比較的小規模な設備で製造可能なバッテリー端子を提供することを目的とする。
【課題を解決するための手段】
【０００６】
上記課題を解決するために、本発明に係るバッテリー端子は、バッテリーポストが挿入されるポスト挿入孔を有する本体部と、前記ポスト挿入孔に挿入された前記バッテリーポストとの間の締付力を調整することで、前記バッテリーポストに締結された締結状態にする締付部と、を備え、前記本体部は、前記バッテリーポストの軸方向に沿って対向する第一分割体及び第二分割体から成る二層分割構造であり、前記第一分割体及び前記第二分割体を組み付けた状態で、前記締付部を前記本体部に取り付けることにより一体的に構成されることを特徴とする。
【０００７】
また、上記のバッテリー端子において、前記第一分割体が、前記第二分割体を組み付ける際に、前記第二分割体を所定位置に誘導する誘導部材を有することが好ましい。
【０００８】
また、上記のバッテリー端子において、前記本体部は、前記ポスト挿入孔と連続するスリットが形成された環状部を有し、前記締付部は、前記バッテリーポストの軸方向と交差する方向であって、前記スリットを横断する方向である幅方向に沿って、前記環状部の一端部から前記スリットを挟んで前記環状部の他端部までを貫通して配置される貫通板と、前記貫通板の一端部に設けられ、前記貫通板の前記環状部からの抜け出しを防止する抜け止め部と、前記貫通板の他端部に設けられる締結部材支持部と、前記締結部材支持部に前記軸方向周りに回転可能に支持される締結部材と、前記締結部材と螺合する被締結部材と、前記貫通板の前記他端部側から前記環状部と当接して配置され、前記軸方向周りの前記締結部材の回転に伴って前記締結部材と前記被締結部材との間に発生する前記軸方向の締付力を、前記幅方向のうち前記環状部の前記スリットの間隔を縮小する方向に前記環状部を押圧する前記幅方向の押圧力に変換する押圧力変換部材と、を備えることが好ましい。
【発明の効果】
【０００９】
本発明に係るバッテリー端子は、本体部を二層分割構造とすることで、比較的小規模な設備で製造可能となる、という効果を奏する。
【図面の簡単な説明】
【００１０】
【図１】図１は、本発明の第一実施形態に係るバッテリー端子の概略構成を示す斜視図である。
【図２】図２は、図１中のＬ１矢視図である。
【図３】図３は、図１に示すバッテリー端子の分解斜視図である。
【図４】図４は、図１に示すバッテリー端子をバッテリーに取り付けた状態を示す斜視図である。
【図５】図５は、本発明の第一実施形態に係るバッテリー端子をバッテリーポストに締結する前の状態を示す模式図である。
【図６】図６は、本発明の第一実施形態に係るバッテリー端子をバッテリーポストに締結した後の状態を示す模式図である。
【図７】図７は、バッテリー端子の組み立て工程において、スタッドボルトを上側分割体に組み付ける工程を示す斜視図である。
【図８】図８は、バッテリー端子の組み立て工程において、下側分割体を上側分割体に組み付ける工程を示す斜視図である。
【図９】図９は、図８中のＬ２矢視図である。
【図１０】図１０は、バッテリー端子の組み立て工程において、締付部の組み付け工程を示す斜視図である。
【図１１】図１１は、バッテリー端子の組み立て工程が完了し、一体的に組み上げられた状態のバッテリー端子を示す斜視図である。
【図１２】図１２は、本発明の第二実施形態に係るバッテリー端子の概略構成を示す斜視図である。
【図１３】図１３は、図１２に示すバッテリー端子の分解斜視図である。
【図１４】図１４は、本発明の第二実施形態に係るバッテリー端子をバッテリーポストに締結する前の状態を示す模式図である。
【図１５】図１５は、本発明の第二実施形態に係るバッテリー端子をバッテリーポストに締結した後の状態を示す模式図である。
【発明を実施するための形態】
【００１１】
以下に、本発明に係るバッテリー端子の実施形態を図面に基づいて説明する。なお、以下の図面において、同一または相当する部分には同一の参照番号を付し、その説明は繰り返さない。
【００１２】
［第一実施形態］
図１〜１１を参照して第一実施形態を説明する。まず図１〜４を参照して、第一実施形態に係るバッテリー端子１の構成について説明する。図１は、本発明の第一実施形態に係るバッテリー端子の概略構成を示す斜視図であり、図２は、図１中のＬ１矢視図であり、図３は、図１に示すバッテリー端子の分解斜視図であり、図４は、図１に示すバッテリー端子をバッテリーに取り付けた状態を示す斜視図である。
【００１３】
本実施形態に係るバッテリー端子１は、図４に示すように、バッテリー５０のバッテリーポスト５１に組み付けられるものである。バッテリー端子１は、バッテリーポスト５１に取り付けられることにより、バッテリー５０と、このバッテリー５０が搭載される車両等の本体側の電線の末端に設けられた金具等とを電気的に接続するための部品である。
【００１４】
なお、以下の説明では、バッテリーポスト５１の中心軸線Ｘに沿った方向を「軸方向」という。またここでは、以下の説明を分かり易くするために、便宜的に当該軸方向と直交する２方向のうち一方を長辺方向（幅方向）、他方を短辺方向という。これら軸方向、長辺方向、及び、短辺方向は互いに直交する。
【００１５】
ここで、このバッテリー端子１が適用されるバッテリー５０は、例えば、車両等に蓄電装置として搭載されるものである。バッテリー５０は、図４に示すように、バッテリー液や当該バッテリー５０を構成する種々の部品を収容するバッテリー筐体５２、当該バッテリー筐体５２に設けられた上述のバッテリーポスト５１等を含んで構成される。バッテリー筐体５２は、いずれか１つの面が開放された略矩形箱状の筐体本体５３と、上記開放された面を閉塞させる蓋部材５４とを含んで構成され、全体として略直方体形状に形成される。ここでは、バッテリー筐体５２は、長辺方向に沿った方向が長辺、短辺方向に沿った方向が短辺となるがこれに限らない。バッテリーポスト５１は、鉛等により構成され、蓋部材５４のポスト立設面５５に立設される。ポスト立設面５５は、バッテリー筐体５２においてバッテリーポスト５１が立設される面である。ここでは、当該ポスト立設面５５は、例えば、バッテリー５０が車両等に搭載された状態で、蓋部材５４の鉛直方向上側の上面である。バッテリーポスト５１は、略円柱形状であり、中心軸線Ｘがポスト立設面５５と直交するような位置関係で当該ポスト立設面５５上に突出するようにして立設される。より詳細には、本実施形態のバッテリーポスト５１は、ポスト立設面５５の角位置近傍に形成された凹部５６内に立設される。当該凹部５６は、ポスト立設面５５の角位置近傍において略矩形状に陥没した部分である。つまり、バッテリーポスト５１は、バッテリー筐体５２の上面であるポスト立設面５５に形成された凹部５６の底面に立設されている。バッテリーポスト５１は、典型的には、軸方向の先端側に進むにつれて径が小さくなるようテーパが付けられている。つまり、バッテリーポスト５１は、先端の外径が基端の外径より小さいテーパ形状となる。なお、以下の説明では、バッテリー５０が車両等に搭載された状態で、バッテリーポスト５１の軸方向が鉛直方向に沿った方向となり、上述の長辺方向、短辺方向が水平方向に沿った方向となる場合を説明する。バッテリー端子１は、上記のように構成されるバッテリーポスト５１に締結される。
【００１６】
本実施形態のバッテリー端子１は、バッテリーポスト５１に締結する場合に、締結部材（後述の締結ボルト２７）を鉛直方向上側から締め付けていく形式の端子である。そして、本実施形態のバッテリー端子１は、軸方向に沿った方向に発生する締結部材による締付力を、軸方向と交差する締め付け方向（幅方向）の押圧力に変換し、当該押圧力によってバッテリー端子１においてバッテリーポスト５１が挿入される部分を押圧することで、バッテリーポスト５１に締結されるものである。このとき、本実施形態のバッテリー端子１は、締結部材を鉛直方向上方から締め付ける構成とすることで、締結部材を締め付けるための工具の作業スペースをバッテリー５０の上方として、バッテリー５０の側方の作業スペースの低減を図ったものである。
【００１７】
具体的には、本実施形態のバッテリー端子１は、図１，２に示すように、本体部２１と、スタッドボルト２２と、締付部２３とを備える。なお、以下の説明では、バッテリー端子１がバッテリーポスト５１に取り付けられた状態で軸方向、長辺方向、短辺方向となる方向を、それぞれ単に「軸方向」、「長辺方向」、「短辺方向」という場合がある。
【００１８】
図１〜３に示すように、本実施形態の本体部２１は、上側分割体２４（第一分割体）と下側分割体２５（第二分割体）との二層分割構造となっている。ここでは、本体部２１は、バッテリー端子１がバッテリーポスト５１に取り付けられた状態で、上側分割体２４が鉛直方向上側、下側分割体２５が鉛直方向下側となって軸方向（鉛直方向）に対向し積層された状態となる。上側分割体２４と下側分割体２５との積層方向は、バッテリー端子１がバッテリーポスト５１に取り付けられた状態で、バッテリーポスト５１の軸方向に沿った方向であり、ここでは後述のスタッドボルト２２の軸部２２ａが突出する側を積層方向上側、反対側を積層方向下側とする。また、積層方向上側とは、バッテリーポスト５１の先端側に相当し、積層方向下側とは、バッテリーポスト５１の基端側に相当する。つまり、本体部２１は、上側分割体２４が積層方向上側、下側分割体２５が積層方向下側となる。
【００１９】
上側分割体２４、下側分割体２５は、例えば、導電性を有する金属板のプレス折り曲げ加工により、それぞれ、環状部２４ａ、２５ａ、ボルト保持部２４ｂ、２５ｂ等が一体で形成される。本実施形態の本体部２１は、上側分割体２４と下側分割体２５との二層分割構造とすることで、例えば、より小型なプレス機によって簡易に製造することができる。
【００２０】
一対の環状部２４ａ、２５ａは、略円環形状に形成され、それぞれバッテリーポスト５１が挿入される略円形状のポスト挿入孔２４ｃ、２５ｃ、及び、ポスト挿入孔２４ｃ、２５ｃと連続するスリット（間隙）２４ｄ、２５ｄが形成される。
【００２１】
ポスト挿入孔２４ｃとポスト挿入孔２５ｃとは、上側分割体２４と下側分割体２５とが上下に積層されてバッテリーポスト５１に取り付けられた状態で、積層方向に対向する位置関係となるように、それぞれ環状部２４ａ、２５ａに形成される。ポスト挿入孔２４ｃ、ポスト挿入孔２５ｃは、板金が同一の方向、ここでは上側に折り返されることでそれぞれ内周壁面が形成される。ポスト挿入孔２４ｃ、ポスト挿入孔２５ｃは、それぞれの内周壁面に上述したバッテリーポスト５１のテーパに対応したテーパを有している。ここでは、ポスト挿入孔２４ｃとポスト挿入孔２５ｃとのうち後述するスタッドボルト２２の軸部２２ａが突出する側、すなわち、ポスト挿入孔２４ｃ側の内径が最小となり、反対側のポスト挿入孔２５ｃ側の内径が最大となる。ポスト挿入孔２４ｃ、ポスト挿入孔２５ｃは、バッテリーポスト５１が挿入された状態で、各内周面がバッテリーポスト５１と接触する。
【００２２】
スリット２４ｄとスリット２５ｄとは、上側分割体２４と下側分割体２５とが上下に積層されてバッテリーポスト５１に取り付けられた状態で、積層方向に対向する位置関係となるように、それぞれ環状部２４ａ、２５ａに形成される。ここでは、スリット２４ｄ、２５ｄは、ポスト挿入孔２４ｃ、２５ｃから環状部２４ａ、２５ａの一部を分断するように形成される。また、環状部２４ａ、２５ａは、スリット２４ｄ、２５ｄが形成されている側の端部に、後述の締付部２３によって保持されて締め付けられる板状突出部２４ｅ、２５ｅを有している。板状突出部２４ｅは、当該環状部２４ａにおいてポスト挿入孔２４ｃが形成されている部分と段付部等を介さずに連続するようにして一体で形成される。同様に、板状突出部２５ｅも、当該環状部２５ａにおいてポスト挿入孔２５ｃが形成されている部分と段付部等を介さずに連続するようにして一体で形成される。スリット２４ｄは、ポスト挿入孔２４ｃから板状突出部２４ｅを貫通している。スリット２５ｄは、ポスト挿入孔２５ｃから、板状突出部２５ｅを貫通している。
【００２３】
図３に示すように、板状突出部２４ｅは、長辺方向の両端がそれぞれ下側に折り曲げられており、その下側に折り曲げられた縁端部２４ｈには、後述する貫通板２６を貫通させるための孔部２４ｉがそれぞれ設けられている。一方、板状突出部２５ｅは、長辺方向の両端がそれぞれ上側に折り曲げられており、その上側に折り曲げられた縁端部２５ｈにも、後述する貫通板２６を貫通させるための孔部２５ｉが設けられている。上側分割体２４の縁端部２４ｈと、下側分割体２５の縁端部２５ｈとは、上側分割体２４及び下側分割体２５が組み合わされた状態で相互に重畳し、それぞれに設けられた孔部２４ｉと、孔部２５ｉとが長辺方向で貫通するよう形成されている。
【００２４】
すなわち、スリット２４ｄにより分断される板状突出部２４ｅと、それぞれに接続されている縁端部２４ｈとは、環状部２４ｃの一端部及び他端部とも表現することができる。同様に、スリット２５ｄにより分断される板状突出部２５ｅと、それぞれに接続されている縁端部２５ｈとは、環状部２５ｃの一端部及び他端部とも表現することができる。
【００２５】
図３に示すように、一対のボルト保持部２４ｂ、２５ｂは、略矩形状に形成される。ボルト保持部２４ｂは、環状部２４ａのスリット２４ｄが形成される側、すなわち、板状突出部２４ｅが形成された側とは反対側に段付部２４ｆ等を介して連続するようにして一体で形成される。ボルト保持部２５ｂは、環状部２５ａのスリット２５ｄが形成される側、すなわち、板状突出部２５ｅが形成された側とは反対側に段付部等を介さずに連続するようにして一体で形成される。ボルト保持部２４ｂは、スタッドボルト２２が挿入される略円形状のボルト挿入孔２４ｇが形成される。ボルト保持部２５ｂは、上側分割体２４と下側分割体２５とを組み付ける際にスタッドボルト２２がスライドするスライド孔２５ｇが形成される。
【００２６】
ここで、ボルト保持部２４ｂ、２５ｂが保持するスタッドボルト２２は、ボルト保持部２４ｂとボルト保持部２５ｂとの間に保持された状態で、スライド孔２５ｇ、及び、ボルト挿入孔２４ｇから軸部２２ａが突出するようにして露出する。スタッドボルト２２は、ボルト挿入孔２４ｇから露出した当該軸部２２ａに電線の末端に設けられた金具等が電気的に接続される。ボルト保持部２４ｂ、２５ｂは、スタッドボルト２２の軸部２２ａが立設される矩形板状の台座部分を保持できるように、長辺方向の両端に所定の折り返し部２４ｊ，２５ｊがそれぞれ形成されている（図８，９参照）。
【００２７】
締付部２３は、ポスト挿入孔２４ｃ、ポスト挿入孔２５ｃ内にバッテリーポスト５１が挿入された状態で、一対の環状部２４ａ、２５ａを当該バッテリーポスト５１に締結するものである。本実施形態の締付部２３は、貫通板２６と、締結ボルト２７（締結部材）と、スペーサ２８とを備える。
【００２８】
貫通板２６は、長辺方向に沿って、スリット２４ｄ，２５ｄと、板状突出部２４ｅ，２５ｅと、を貫通して配置される板状部材である。言い換えると、貫通板２６は、環状部２４ａ，２５ａの一端部からスリット２４ｄ，２５ｄを挟んで環状部２４ａ，２５ａの他端部までを貫通する。貫通板２６は、上側分割体２４の縁端部２４ｈに設けられた孔部２４ｉと、下側分割体２５の縁端部２５ｈに設けられた孔部２５ｉとを貫通させることで、スリット２４ｄ，２５ｄを横断するように、長辺方向に沿って本体部２１に取り付けられる。
【００２９】
貫通板２６は、その一端部に抜け止め部２６ａを有する。抜け止め部２６ａは、貫通板２６が環状部２４ａ，２５ａの両端を貫通した状態、すなわち、貫通板２６が孔部２４ｉ，２５ｉを貫通して本体部２１に取り付けられた状態において、この抜け止め部２６ａが設けられる一端部と反対側の他端部側へ貫通板２６が本体部２１からの抜け出すのを防止する。具体的には、抜け止め部２６ａは、短辺方向において、孔部２４ｉ，２５ｉの内径より長い寸法で形成されており、貫通板２６が孔部２４ｉ，２５ｉの通って他端側に所定量入ると縁端部２４ｈ，２５ｈに突き当たるように構成されている。
【００３０】
また、貫通板２６は、抜け止め部２６ａが設けられる一端部と反対側の他端部に、軸方向に貫通して螺合孔２６ｂ（締結部材支持部、被締結部材）が設けられている。螺合孔２６ｂは、締結ボルト２７を軸方向の所定位置で支持する機能も有する。
【００３１】
締結ボルト２７は、螺合溝が形成された軸部２７ａと、軸部２７ａの一端部に一体形成される頭部２７ｂとを有する。軸部２７ａは、貫通板２６の螺合孔２６ｂと螺合する部分である。頭部２７ｂは、締結ボルト２７を軸部２７ａ周りに回転させるために工具等によって把持される部分である。締結ボルト２７は、軸方向に沿った所定の位置で、貫通板２６の螺合孔２６ｂに軸方向周りに回転可能に支持されると共に、軸部２７ａがこの螺合孔２６ｂに軸方向に沿って螺合する。さらに、締結ボルト２７は、頭部２７ｂの座面に、軸方向周りの全周に亘って第一テーパ面２７ｃが形成されている。第一テーパ面２７ｃは、締結ボルト２７が螺合孔２６ｂに螺合している状態において、後述するスペーサ２８の第二テーパ面２８ｄと接触状態を維持するように形成されている。
【００３２】
本実施形態の締結ボルト２７は、図４等に示すように、バッテリーポスト５１がポスト挿入孔２４ｃ、２５ｃに挿入され、かつ、貫通板２６の螺合孔２６ｂに支持された状態で、少なくとも一部が軸方向に沿ってバッテリー筐体５２の上面（ポスト立設面５５）から突出した位置に支持される。
【００３３】
スペーサ２８は、螺合孔２６ｂに螺合された状態の締結ボルト２７と、本体部２１の縁端部２５ｈとの間に配置され、両者の相対位置を調整する。スペーサ２８は、略直方体形状の部材である。スペーサ２８には、長辺方向で対向して配置される一端面２８ｂと他端面２８ｃとの間を貫通する貫通孔２８ａが設けられている。貫通孔２８ａは、孔部２４ｉ，２５ｉと略同等の大きさであり、この貫通孔２８ａに貫通板２６が貫通している。これにより、スペーサ２８は貫通板２６に対して長辺方向に相対移動可能となっている。スペーサ２８の長辺方向の一端面２８ｂは、貫通板２６の螺合孔２６ｂが設けられた端部（他端部）側から、環状部２４ａの縁端部２４ｈと当接している。スペーサ２８の長辺方向の他端面２８ｃには、軸方向に沿って締結ボルト２７の軸部２７ａの少なくとも一部を嵌合する嵌合溝２８ｅが設けられると共に、この嵌合溝２８ｅの軸方向の上端に第二テーパ面２８ｄ（テーパ面）が形成されている。第二テーパ面２８ｄは、締結ボルト２７が螺合孔２６ｂに螺合している状態において、締結ボルト２７の第一テーパ面２７ｃと接触状態を維持するように形成されている。
【００３４】
ここで、締結ボルト２７に設けられる第一テーパ面２７ｃと、スペーサ２８に設けられる第二テーパ面２８ｄとは、締結ボルト２７が軸方向周りの回転に伴って螺合孔２６ｂ側に接近した際に、締結ボルト２７と貫通板２６との間に発生する締付力によって締結ボルト２７がスペーサ２８を押圧する軸方向の押圧力Ｆ１（図６参照）を、環状部２４ａ，２５ａのスリット２４ｄ，２５ｄの間隔を縮小する方向にスペーサ２８が環状部２４ａ，２５ａの縁端部２４ｈ，２５ｈを押圧する長辺方向の押圧力Ｆ２（図６参照）に変換する方向に傾斜を有するように形成されている。本実施形態では、締結ボルト２７に設けられた第一テーパ面２７ｃは、軸方向下側の水平方向の断面積が上側より小さい円錐台の側面であり、締結ボルト２７の軸心を中心として、軸方向上側に進むほど軸心周りの長さが広がるような傾斜を有している。一方、スペーサ２８に設けられた第二テーパ面２８ｄは、軸方向下側の水平方向の断面積が上側より小さい逆円錐台形状の側面であり、締結ボルト２７の軸心を中心として、軸方向上側に進むほど軸心周りの長さが広がるような傾斜を有している。
【００３５】
つまり、スペーサ２８は、締結ボルト２７と、環状部２４ａ，２５ａの縁端部２４ｈ，２５ｈとの間にて、両者と当接して配置され、軸方向周りの締結ボルト２７の回転に伴って発生する軸方向の締付力を、第一テーパ面２７ｃ及び第二テーパ面２８ｄを介して、環状部２４ａ，２５ａのスリット２４ｄ，２５ｄの間隔を縮小する方向に環状部２４ａ，２５ａの縁端部２４ｈ，２５ｈを押圧する長辺方向の押圧力に変換する押圧力変換部材として機能する。
【００３６】
次に、図５，６を参照して、本実施形態に係るバッテリー端子１の動作について説明する。図５は、本発明の第一実施形態に係るバッテリー端子をバッテリーポストに締結する前の状態を示す模式図であり、図６は、本発明の第一実施形態に係るバッテリー端子をバッテリーポストに締結した後の状態を示す模式図である。
【００３７】
図５に示すように、バッテリー端子１は、貫通板２６が、板状突出部２４ｅの縁端部２４ｈに設けられた孔部２４ｉと、板状突出部２５ｅの縁端部２５ｈに設けられた孔部２５ｉを貫通するよう挿入されることで、本体部２１の板状突出部２４ｅ及び板状突出部２５ｅが一体化される。この状態で、貫通板２６の抜け止め部２６ａと反対側の端部に、スペーサ２８の貫通孔２８ａが嵌合されて、スペーサ２８が本体部２１の長辺方向外側にて、貫通板２６に沿って移動可能に取り付けられる。スペーサ２８の本体２１側の端面２８ｂを、板状突出部２４ｅの縁端部２４ｈと接触するまで、貫通板２６の奥に入れ込んで、貫通板２６上の螺合孔２６ｂの全体を露出させる。そして、鉛直方向上方から締結ボルト２７が螺合孔２６ｂに螺合されることで、バッテリー端子１は一体的に組み立てられる。図５に示す状態は、締結ボルト２７の第一テーパ面２７ｃの下端領域が、スペーサ２８の第二テーパ面２８ｄの上端領域と接している状態を示しており、締結ボルト２７をさらに下方まで進出可能な状態である。このとき、環状部２４ａ，２５ａのスリット２４ｄ，２５ｄは最大幅に広がっており、ポスト挿入孔２４ｃ，２５ｃの内径は、バッテリーポスト５１の外径より大きい。この状態が、バッテリー端子１をバッテリーポスト５１に締結する前の状態である。
【００３８】
バッテリー端子１は、図５に示す状態でポスト挿入孔２４ｃ，２５ｃにバッテリーポスト５１が挿入されることで、バッテリーポスト５１に組み付けられる。そして、バッテリー端子１は、ポスト挿入孔２４ｃ，２５ｃの内周面とバッテリーポスト５１の外周面とが接触した状態で、締結ボルト２７が鉛直方向（軸方向）上側から締め付けられることで、スリット２４ｄ，２５ｄを挟んで環状部２４ａ，２５ａの両側が接近方向に締め付けられ、これにより、バッテリーポスト５１に締結される。
【００３９】
より詳細には、図６に示すように、締結ボルト２７の頭部２７ｂが工具等によって軸方向（軸部２７ａ）周りに回転されることで、締結ボルト２７が軸方向に沿って螺合孔２６ｂ（貫通板２６）側に接近すると、締結ボルト２７と貫通板２６との間に軸方向の締付力Ｆ１（「押圧力Ｆ１」とも表記する）が発生する。この軸方向の締付力Ｆ１によって、締結ボルト２７は、第一テーパ面２７ｃを介して、スペーサ２８の第二テーパ面２８ｄを軸方向に押圧する。この軸方向の押圧力Ｆ１（締結力Ｆ１）は、第一テーパ面２７ｃ及び第二テーパ面２８ｃによって、長辺方向の押圧力Ｆ２に変換されて、スペーサ２８に伝達される。スペーサ２８は、伝達された長辺方向の押圧力Ｆ２により、環状部２４ａ，２５ａの縁端部２４ｈ，２５ｈを、環状部２４ａ，２５ａのスリット２４ｄ，２５ｄの間隔を縮小する方向に押圧する。スペーサ２８は、スリット２４ｄ、２５ｄの間隔が狭まるのに応じて、貫通板２６上を反対側端部の抜け止め部２６ａの方向に移動できるので、締結ボルト２７から押圧力Ｆ１を受ける間、環状部２４ａ，２５ａの縁端部２４ｈ，２５ｈとの接触を維持して、押圧力Ｆ２を付加し続けることができる。このとき、環状部２４ａ，２５ａが押圧力Ｆ２を受ける側と反対側では、貫通板２６の抜け止め部２６ａによって、環状部２４ａ，２５ａが押圧力Ｆ２に対して長辺方向に逃げるのを規制されている。この結果、バッテリー端子１は、スペーサ２８による押圧力Ｆ２によって、環状部２４ａの板状突出部２４ｅと共に環状部２５ａの板状突出部２５ｅが貫通板２６の抜け止め部２６ａ側に押圧されることで、スリット２４ｄ、２５ｄの間隔が狭まる。
【００４０】
したがって、バッテリー端子１は、締結ボルト２７の回転に伴い、第一テーパ面２７ｃ及び第二テーパ面２８ｄにより発生する長辺方向の押圧力Ｆ２によって、スリット２４ｄ、２５ｄの間隔が狭められることで、ポスト挿入孔２４ｃ、ポスト挿入孔２５ｃの内周面とバッテリーポスト５１の外周面とが接触した状態でポスト挿入孔２４ｃ、ポスト挿入孔２５ｃの径が縮小され、バッテリーポスト５１に締結される。そして、バッテリー端子１は、スタッドボルト２２の軸部２２ａに電線の末端に設けられた金具等が電気的に接続される（図４等参照）。
【００４１】
ここでは、締結ボルト２７は、図４で説明したように、締め付け作業が行われる状態で、少なくとも頭部２７ｂを含む一部が軸方向に沿ってバッテリー筐体５２の上面（ポスト立設面５５）から突出した位置に支持され、締め付けが行われてもこの位置が維持される。この結果、このバッテリー端子１は、少なくとも締結ボルト２７の頭部２７ｂを含む一部が軸方向に沿ってバッテリー筐体５２の上面から突出した状態で、締結ボルト２７の締め付け作業を完結することができる。
【００４２】
一方、バッテリー端子１は、締結ボルト２７が逆回転に回転されることで、第一テーパ面２７ｃ及び第二テーパ面２８ｄにより発生する長辺方向の押圧力Ｆ２が弱まり、スリット２４ｄ、２５ｄの間隔が広がり、ポスト挿入孔２４ｃ、ポスト挿入孔２５ｃの径が拡大され、バッテリーポスト５１から取り外し可能な状態となる。
【００４３】
本実施形態のバッテリー端子１は、バッテリーポスト５１が挿入されるポスト挿入孔２４ｃ，２５ｃ、及び、このポスト挿入孔２４ｃ，２５ｃと連続するスリット２４ｄ，２５ｄが形成された環状部２４ａ，２５ａと、バッテリーポスト５１の軸方向と交差する方向であって、スリット２４ｄ，２５ｄを横断する方向である長辺方向に沿って、環状部２４ａ，２５ａの一端部からスリット２４ｄ，２５ｄを挟んで環状部２４ａ，２５ａの他端部までを貫通して配置される貫通板２６と、貫通板２６の一端部に設けられ、貫通板２６の環状部２４ａ，２５ａからの抜け出しを防止する抜け止め部２６ａと、貫通板２６の他端部に設けられる締結部材支持部としての螺合孔２６ｂと、螺合孔２６ｂに軸方向に回転可能に支持される締結部材としての締結ボルト２７と、を備える。螺合孔２６ｂは、締結ボルト２７と螺合する被締結部材としても機能する。バッテリー端子１は、さらに、貫通板２６の螺合孔２６ｂが設けられる端部側から環状部２４ａ，２５ａの縁端部２４ｈ，２５ｈと当接して配置され、軸方向周りの締結ボルト２７の回転に伴って締結ボルト２７と螺合孔２６ｂとの間に発生する軸方向の締付力Ｆ１を、長辺方向（幅方向）のうち環状部２４ａ，２５ａのスリット２４ｄ，２５ｄの間隔を縮小する方向に環状部２４ａ，２５ａを押圧する長辺方向の押圧力Ｆ２に変換する押圧力変換部材としてのスペーサ２８と、を備える。
【００４４】
この構成により、押圧力変換部材としてのスペーサ２８の作用によって、軸方向周りの締結ボルト２７の回転に伴って発生する軸方向の締付力Ｆ１を、環状部２４ａ，２５ａのスリット２４ｄ，２５ｄの間隔を縮小する長辺方向の押圧力Ｆ２に変換することで、環状部２４ａ，２５ａをバッテリーポスト５１に締結することができる。つまり、締結ボルト２７をバッテリーポスト５１の軸方向周り、すなわち鉛直方向周りに回転操作することで、バッテリー端子１をバッテリーポスト５０に締結することができる。これにより、従来のように、締結ボルト２７を回転させるための工具をバッテリーポスト５１の側方、すなわちバッテリー５０の側方からセットして回転操作するための作業スペースを確保する必要がなくなり、例えば、比較的作業スペースを取りやすいバッテリー５０の鉛直方向上方から操作することが可能となる。このように、本実施形態のバッテリー端子１によれば、バッテリー端子１をバッテリーポスト５１に締結する際に必要なバッテリー５０の周囲の作業スペースを低減できる。
【００４５】
また、本実施形態のバッテリー端子１によれば、スペーサ２８と当接する締結ボルト２７の頭部２７ｂの座面には、第一テーパ面２７ｃが形成される。スペーサ２８は、貫通板２６に対して長辺方向に相対移動可能に配置され、長辺方向の一端面２８ｂにて締結ボルト２７の頭部２７ｂと当接し、長辺方向の他端面２８ｃにて環状部２４ａ，２５ａの縁端部２４ｈ，２５ｈと当接する。締結ボルト２７と当接するスペーサ２８の他端面２８ｃには、締結ボルト２７の第一テーパ面２７ｃと当接する第二テーパ面２８ｄが形成されている。締結ボルト２７に設けられる第一テーパ面２７ｃ、及び、スペーサ２８に設けられる第二テーパ面２８ｄは、締結ボルト２７が軸方向周りの回転に伴って螺合孔２６ｂ側に接近した際に、締結ボルト２７と貫通板２６との間に発生する締付力によって締結ボルト２７がスペーサ２８を押圧する軸方向の押圧力Ｆ１を、環状部２４ａ，２５ａのスリット２４ｄ，２５ｄの間隔を縮小する方向にスペーサ２８が環状部２４ａ，２５ａを押圧する長辺方向の押圧力Ｆ２に変換する方向に傾斜を有する。
【００４６】
この構成により、締結ボルト２７に設けられる第一テーパ面２７ｃ、及び、スペーサ２８に設けられる第二テーパ面２８ｄの作用によって、締結ボルト２７の螺合孔２６ｂへの締付操作、すなわち軸方向周りの回転運動から、環状部２４ａ，２５ａのスリット２４ｄ，２５ｄの間隔を縮小する長辺方向の押圧力Ｆ２に効率よく変換することができる。これにより、締付ボルト２７の回転軸を、環状部２４ａ，２５ａの締結方向と同一にする必要がなく、締結ボルト２７の締付操作を行いやすい鉛直方向とすることができるので、バッテリー端子１をバッテリーポスト５１に締結する際の作業性を向上することができる。
【００４７】
さらに、以上で説明したバッテリー端子１によれば、締結ボルト２７は、バッテリーポスト５１がポスト挿入孔２４ｃ、２５ｃに挿入され、かつ、貫通板２６の螺合孔２６ｂに支持された状態で、少なくとも一部が軸方向に沿ってバッテリー筐体５２の上面から突出した位置に支持される。したがって、バッテリー端子１は、少なくとも締結ボルト２７の一部が軸方向に沿ってバッテリー筐体５２の上面から突出した状態で、締結ボルト２７の締め付け作業を完結することができるので、例えば、工具等が他の部位に干渉することを抑制し、当該工具等を使った締結ボルト２７の締め込みを行いやすくすることができる。
【００４８】
次に、図７〜１１を参照して、バッテリー端子１の組み立て工程について説明する。
【００４９】
まず、本体部２１の組み立てが行われる。図７は、バッテリー端子の組み立て工程において、スタッドボルトを上側分割体に組み付ける工程を示す斜視図である。図７に示すように、本体部２１は、組み立ての際には、まず、矩形板状の台座部分に軸部２２ａが立設されたスタッドボルト２２が上側分割体２４に組み付けられる。このとき、スタッドボルト２２は、ボルト挿入孔２４ｇに軸部２２ａが挿入され、当該軸部２２ａが当該ボルト挿入孔２４ｇから露出した状態で、かつ、矩形板状の台座部分がボルト保持部２４ｂの折り返し部２４ｊ内に保持された状態となる。
【００５０】
図８は、バッテリー端子の組み立て工程において、下側分割体を上側分割体に組み付ける工程を示す斜視図であり、図９は、図８中のＬ２矢視図である。次に、図８に示すように、上側分割体２４のボルト保持部２４ｂにスタッドボルト２２が保持された状態で、下側分割体２５が、ボルト保持部２４ｂの段付部２４ｆ側から、上側分割体２４に組み付けられる。より詳細には、図９に示すように、スライド孔２５ｇが形成されたボルト保持部２５ｂの上板部分が、ボルト保持部２４ｂの上板部分と、スタッドボルト２２の台座部分との間に挿入されるようにして、上側分割体２４に組み付けられる。このとき、ボルト保持部２５ｂに形成されたスライド孔２５ｇが、スタッドボルト２２の軸部２２ａの周囲をスライドしていく。
【００５１】
また、このとき、図９に示すように、スタッドボルト２２の台座部分を保持するために下側分割体２５の長辺方向の両端に設けられている折り返し部２５ｊが、同じくスタッドボルト２２の台座部分を保持するために上側分割体２４の長辺方向の両端に設けられている折り返し部２４ｊの内側に入れ子状に挿入されている。つまり、上側分割体２４の折り返し部２４ｊは、下側分割体２５を所定位置に誘導する誘導部材としても機能している。この誘導部材の機能によって、上側分割体２４への下側分割体２５の組み付けを容易にすることができる。
【００５２】
この結果、本体部２１は、上側分割体２４の環状部２４ａ及びボルト保持部２４ｂと、下側分割体２５の環状部２５ａ及びボルト保持部２５ｂとが上下に対向するような位置関係で積層された状態となる（図１０参照）。この状態では、図９に示すように、スタッドボルト２２の台座部分が、長辺方向の両端にて、下側分割体２５のボルト保持部２５ｂの折り返し部２５ｊによって支持されている。さらに、ボルト保持部２５ｂが、長辺方向の両端にて、上側分割体２４のボルト保持部２４ｂの折り返し部２４ｊによって支持されている。したがって、本体部２１は、このように上側分割体２４と下側分割体２５とが積層された状態で、ボルト保持部２４ｂとボルト保持部２５ｂとによってスタッドボルト２２が保持される。また、図９に示すように、下側分割体２５の縁端部２５ｈは、上側分割体２４の縁端部２４ｈの内側に嵌合される。
【００５３】
図１０は、バッテリー端子の組み立て工程において、締付部の組み付け工程を示す斜視図であり、図１１は、バッテリー端子の組み立て工程が完了し、一体的に組み上げられた状態のバッテリー端子を示す斜視図である。図１０に示すように、本体部２１は、ボルト保持部２４ｂとボルト保持部２５ｂとによってスタッドボルト２２が保持された状態で、締付部２３によって保持され、一体化される。まず、締付部２３の貫通板２６が、螺合孔２６ｂの設けられた方の端部から、上側分割体２４の一方の縁端部２４ｈの孔部２４ｉに挿入される。貫通板２６は、螺合孔２６ｂと反対側の端部に設けられた抜け止め部２６ａが、この縁端部２４ｈに突き当たるまで挿入される。この結果、貫通板２６は、下側分割体２５の縁端部２５ｈの孔部２５ｉ及びスリット２４ｄ，２５ｄを介して、他方の縁端部２４ｈの孔部２４ｉまで貫通した状態となる。この状態で、貫通板２６の螺合孔２６ｂ側の端部に、スペーサ２８が嵌合され、次いで、鉛直方向上方から締結ボルト２７が螺合孔２６ｂに螺合される。この結果、バッテリー端子の組み立て工程が完了し、図１１に示すように、バッテリー端子１は一体的に組み上げられる。
【００５４】
次に、本実施形態に係るバッテリー端子１の効果を説明する。
【００５５】
本実施形態のバッテリー端子１は、バッテリーポスト５１が挿入されるポスト挿入孔２４ｃ，２５ｃを有する本体部２１と、ポスト挿入孔２４ｃ，２５ｃに挿入されたバッテリーポスト５１との間の締付力を調整することで、バッテリーポスト５１に締結された締結状態にする締付部２３と、を備える。本体部２１は、バッテリーポスト５１の軸方向に沿って対向する上側分割体２４及び下側分割体２５から成る二層分割構造であり、上側分割体２４及び下側分割体２５を組み付けた状態で、締付部２３を本体部２１に取り付けることにより一体的に構成される。
【００５６】
この構成により、本実施形態のバッテリー端子１では、本体部２１を上側分割体２４と下側分割体２５との二層分割構造とすることで、従来の本体部の上下積層構造を連結する構成と比較して、機械によるプレス加工や折り曲げ加工の工程の一部を省略することが可能となる。これにより、従来より小型なプレス機によって簡易にバッテリー端子の各部品を製造することができ、従来に対して比較的小規模な設備でバッテリー端子を製造できる。
【００５７】
また、本実施形態のバッテリー端子１において、上側分割体２４は、上側分割体２４及び下側分割体２５を組み付ける際に、下側分割体２５を所定位置に誘導する誘導部材としての折り返し部２４ｊを有する。この構成により、上側分割体２４への下側分割体２５の組み付けを容易にすることができる。
【００５８】
なお、上記実施形態では、締結ボルト２７に第一テーパ面２７ｃを設け、スペーサ２８に第二テーパ面２８ｄを設け、第一テーパ面２７ｃ及び第二テーパ面２８ｄを介して締結ボルト２７からスペーサ２８に押圧力を伝達する構成を例示したが、締結ボルト２７とスペーサ２８との接触状態を維持できれば、第一テーパ面２７ｃまたは第二テーパ面２８ｄのいずれか一方のみを設ける構成でもよい。
【００５９】
また、上記実施形態では、締結ボルト２７と螺合する被締結部材を、貫通板２６上の螺合孔２６ｂとし、締結ボルト２７と貫通板２６との間で軸方向の締付力Ｆ１を発生させる構成を例示したが、被締結部材として別体のナットを有する構成としてもよい。つまり、螺合孔２６ｂをネジ溝の無い単なる孔部に置き換え、軸方向に対して貫通板２６を挟んで締結ボルト２７と反対側（鉛直方向下側）に、締結ボルト２７と螺合するナットを配置し、締結ボルト２７とナットとの間に発生する軸方向の締付力Ｆ１を長辺方向の押圧力Ｆ２に変換する構成としてもよい。
【００６０】
［第二実施形態］
図１２〜１５を参照して第二実施形態を説明する。まず図１２，１３を参照して、第二実施形態に係るバッテリー端子１ａの構成について説明する。図１２は、本発明の第二実施形態に係るバッテリー端子の概略構成を示す斜視図であり、図１３は、図１２に示すバッテリー端子の分解斜視図である。
【００６１】
図１２，１３に示すように、第二実施形態のバッテリー端子１ａは、締付部３３の構成が第一実施形態のバッテリー端子１と異なるものである。
【００６２】
本実施形態のバッテリー端子１ａは、本体部２１と、スタッドボルト２２と、締付部３３とを備える。締付部３３は、貫通板３６と、締結ボルト３７（締結部材）と、テーパナット３８とを備える。なお、本体部２１及びスタッドボルト２２については、図１２，１３に示すように、ポスト挿入孔２４ｃ，２５ｃが、板金を下側に折り返されることでそれぞれ内周壁面を形成している点のみが、第一実施形態のバッテリー端子１と相違する。
【００６３】
貫通板３６は、第一実施形態の貫通板２６と同様に、その一端部に抜け止め部２６ａを有する一方、抜け止め部２６ａが設けられる一端部と反対側の他端部には、第一実施形態の螺合孔２６ｂの代わりに、図１３に示すように、その内周にネジ溝を持たず、長辺方向に沿って長穴形状の孔部３６ｂを有する。さらに、貫通板３６には、孔部３６ｂが設けられる端部側にて、短辺方向の両縁端に、後述するテーパナット３８の直立部３８ｂと係合する係合溝３６ｃが形成されている。係合溝３６ｃは、貫通板３６の短辺方向の端面から貫通板３６の中央方向へ端面と平行に掘り下げられて形成されている。
【００６４】
締結ボルト３７は、第一実施形態の締結ボルト２７と同様に軸部２７ａを有する一方、第一テーパ面２７ｃを有していない。また、頭部３７ｂは、第一実施形態と比べて軸方向寸法が長い。
【００６５】
テーパナット３８は、軸方向に対して貫通板３６を挟んで締結ボルト３７と対向して配置され、締結ボルト３７と螺合されている。テーパナット３８は、締結ボルト３７の軸部２７ａと螺合する螺合孔を有する方形状の基部３８ａと、この基部３８ａの４辺のうち対向する２辺から鉛直方向上側へ延在する一対の直立部３８ｂとを有する。一対の直立部３８ｂは、例えば基部３８ａを含んで板金で平面形状を形成し、基部３８ａから同一方向に略直角に折り曲げることで形成することができる。基部３８ａは、図１２，１３に示すように、直立部３８ｂを有する２辺が長辺方向に延在している。テーパナット３８の直立部３８ｂは、長辺方向の一端面３８ｃにて環状部２４ａの縁端部２４ｈと当接している。テーパナット３８は、一対の直立部３８ｂの一端面３８ｃがそれぞれ環状部２４ａの縁端部２４ｈと当接していることにより、軸方向の回転が規制されている。つまり、本実施形態では、テーパナット３８が、締結ボルト３７（締結部材）と螺合する被締結部材として機能するものである。
【００６６】
また、テーパナット３８の直立部３８ｂには、端面３８ｃと長辺方向の反対側にテーパ面３８ｄが形成されている。テーパ面３８ｄは、テーパナット３８が貫通板３６を挟んで締結ボルト３７と螺合している状態において、貫通板３６の係合溝３６ｃと接触状態を維持するように形成されている。より詳細には、テーパ面３８ｄは、貫通板３６の係合溝３６ｃにおいて、長辺方向で対向する一対の端面のうち、貫通板３６の端部に近い方の端面３６ｄ（図１３参照）と接触する。なお、この端面３６ｄに、テーパ面３８ｄと同一方向に傾斜をつけ、テーパ面３８ｄとの接触面積を増やすよう構成してもよい。
【００６７】
ここで、テーパナット３８に設けられるテーパ面３８ｄは、軸方向周りの締結ボルト３７の回転に伴ってテーパナット３８が軸方向に沿って締結ボルト３７側に接近した際に、締結ボルト３７とテーパナット３８との間に発生する軸方向の締付力を、環状部２４ａ，２５ａのスリット２４ｄ，２５ｄの間隔を縮小する方向にテーパナット３８が環状部２４ａ，２５ａの縁端部２４ｈ，２５ｈを押圧する長辺方向の押圧力に変換する方向に傾斜を有するよう形成されている。本実施形態では、テーパナット３８に設けられるテーパ面３８ｄは、軸方向に沿って締結ボルト３７の頭部３７ｂ側から離間するにしたがって、直立部３８ｂの長辺方向の幅が徐々に広がるような傾斜を有している。
【００６８】
つまり、テーパナット３８は、締結ボルト３７と、環状部２４ａ，２５ａの縁端部２４ｈ，２５ｈとの間にて、両者と当接して配置され、軸方向周りの締結ボルト３７の回転に伴って発生する軸方向の締付力を、テーパ面３８ｄを介して、環状部２４ａ，２５ａのスリット２４ｄ，２５ｄの間隔を縮小する方向に環状部２４ａ，２５ａの縁端部２４ｈ，２５ｈを押圧する長辺方向の押圧力に変換する押圧力変換部材として機能する。
【００６９】
次に、図１４，１５を参照して、本実施形態に係るバッテリー端子１ａの動作について説明する。図１４は、本発明の第二実施形態に係るバッテリー端子をバッテリーポストに締結する前の状態を示す模式図であり、図１５は、本発明の第二実施形態に係るバッテリー端子をバッテリーポストに締結した後の状態を示す模式図である。
【００７０】
図１４に示すように、バッテリー端子１ａは、貫通板３６が、板状突出部２４ｅの縁端部２４ｈに設けられた孔部２４ｉと、板状突出部２５ｅの縁端部２５ｈに設けられた孔部２５ｉを貫通するよう挿入されることで、本体部２１の板状突出部２４ｅ及び板状突出部２５ｅが一体化される。この状態で、貫通板３６の抜け止め部２６ａと反対側の端部の一対の係合溝３６ｃに、鉛直方向下方から一対の直立部３８ｂがそれぞれ嵌合されて、テーパナット３８が貫通板３６の下方に配置され、貫通板３６の孔部３６ｂに鉛直方向上方から締結ボルト３７が挿入され、テーパナット３８の基部３８ａの螺合孔に螺合されることで、バッテリー端子１ａは一体的に組み立てられる。図１４に示す状態は、テーパナット３８のテーパ面３８ｄの上端領域が、貫通板３６の係合溝３６ｃの端面３６ｄと接している状態を示しており、テーパナット３８をさらに上方まで進出可能な状態である。このとき、環状部２４ａ，２５ａのスリット２４ｄ，２５ｄは最大幅に広がっており、ポスト挿入孔２４ｃ，２５ｃの内径は、バッテリーポスト５１の外径より大きい。また、締結ボルト３７の軸部２７ａは、貫通板３６の長穴形状の孔部３６ｂのうち、貫通板３６の端部に近い方（図１４では右側）に位置している。この状態が、バッテリー端子１ａがバッテリーポスト５１に締結する前の状態である。
【００７１】
バッテリー端子１ａは、図１４に示す状態でポスト挿入孔２４ｃ，２５ｃにバッテリーポスト５１が挿入されることで、バッテリーポスト５１に組み付けられる。そして、バッテリー端子１ａは、ポスト挿入孔２４ｃ，２５ｃの内周面とバッテリーポスト５１の外周面とが接触した状態で、締結ボルト３７が鉛直方向（軸方向）上側から締め付けられることで、スリット２４ｄ，２５ｄを挟んで環状部２４ａ，２５ａの両側が接近方向に締め付けられ、これにより、バッテリーポスト５１に締結される。
【００７２】
より詳細には、図１５に示すように、締結ボルト３７の頭部３７ｂが工具等によって軸方向（軸部２７ａ）周りに回転されることで、締結ボルト３７の軸方向の位置はそのままで、テーパナット３８が軸方向に沿って締結ボルト３７の頭部３７ｂ側に接近すると、締結ボルト３７とテーパナット３８との間に軸方向の締付力Ｆ１が発生する。この軸方向の締付力Ｆ１によって、テーパナット３８は、テーパ面３８ｄを介して、貫通板３６の係合溝３６ｃの端面３６ｄを軸方向に押圧する。これにより、テーパナット３８は、この端面３６ｄと接触しているテーパ面３８ｄによって、この軸方向の押圧力Ｆ１（締結力Ｆ１）が、長辺方向に変換された押圧力Ｆ２を、貫通板３６の端面３６ｄから受ける。テーパナット３８は、貫通板３６の端面３６ｄから受けた長辺方向の押圧力Ｆ２により、環状部２４ａ，２５ａの縁端部２４ｈ，２５ｈを、環状部２４ａ，２５ａのスリット２４ｄ，２５ｄの間隔を縮小する方向に押圧する。テーパナット３８と、このテーパナット３８に螺合している締結ボルト３７は、スリット２４ｄ，２５ｄの間隔が狭まるのに応じて、貫通板３６上の長穴形状の孔部３６ｂに沿って抜け止め部２６ａの方向に一体的に移動できるので、締結ボルト３７との締結力Ｆ１を発生している間、環状部２４ａ，２５ａの縁端部２４ｈ，２５ｈとの接触を維持して、押圧力Ｆ２を付加し続けることができる。このとき、環状部２４ａ，２５ａが押圧力Ｆ２を受ける側と反対側では、貫通板３６の抜け止め部２６ａによって、環状部２４ａ，２５ａが押圧力Ｆ２に対して長辺方向に逃げるのを規制されている。この結果、バッテリー端子１ａは、テーパナット３８による押圧力Ｆ２によって、環状部２４ａの板状突出部２４ｅと共に環状部２５ａの板状突出部２５ｅが貫通板３６の抜け止め部２６ａ側に押圧されることで、スリット２４ｄ、２５ｄの間隔が狭まる。
【００７３】
したがって、バッテリー端子１ａは、締結ボルト３７の回転に伴い、テーパナット３８のテーパ面３８ｄにより発生する長辺方向の押圧力Ｆ２によって、スリット２４ｄ、２５ｄの間隔が狭められることで、ポスト挿入孔２４ｃ、ポスト挿入孔２５ｃの内周面とバッテリーポスト５１の外周面とが接触した状態でポスト挿入孔２４ｃ、ポスト挿入孔２５ｃの径が縮小され、バッテリーポスト５１に締結される。そして、バッテリー端子１ａは、スタッドボルト２２の軸部２２ａに電線の末端に設けられた金具等が電気的に接続される。
【００７４】
以上のように、本実施形態のバッテリー端子１ａによれば、貫通板３６の抜け止め部２６ａが設けられる一端部とは反対側の他端部には、長辺方向に沿って長穴形状の孔部３６ｂが、締結部材支持部として設けられる。締結部材としての締結ボルト３７は、貫通板３６の孔部３６ｂに軸方向周りに回転可能に支持される。被締結部材としてのテーパナット３８は、軸方向に対して貫通板３６を挟んで締結ボルト３７と対向し該締結ボルト３７と螺合する。また、テーパナット３８は押圧力変換部材としても機能し、軸方向周りの回転が規制され、長辺方向の一端に貫通板３６と当接するテーパ面３８ｄが形成され、長辺方向の他端の端面３８ｃにて環状部２４ａ，２５ａと当接する。テーパナット３８に設けられるテーパ面３８ｄは、軸方向周りの締結ボルト３７の回転に伴ってテーパナット３８が軸方向に沿って締結ボルト３７側に接近した際に、締結ボルト３７とテーパナット３８との間に発生する軸方向の締付力Ｆ１を、環状部２４ａ，２５ａのスリット２４ｄ，２５ｄの間隔を縮小する方向にテーパナット３８が環状部２４ａ，２５ａを押圧する長辺方向の押圧力Ｆ２に変換する方向に傾斜を有する。
【００７５】
この構成により、テーパナット３８に設けられるテーパ面３８ｄの作用によって、軸方向周りの締結ボルト３７の回転に伴って発生する軸方向の締付力Ｆ１を、環状部２４ａ，２５ａのスリット２４ｄ，２５ｄの間隔を縮小する長辺方向の押圧力Ｆ２に変換することで、環状部２４ａ，２５ａをバッテリーポスト５１に締結することができる。また、バッテリー端子１ａは、バッテリーポスト５１に締結される際に、締結ボルト３７の回転に伴ってテーパナット３８が締結ボルト３７側に接近する一方、締結ボルト３７自体は軸方向の位置が固定されたまま変化しない。この結果、このバッテリー端子１ａは、締結ボルト３７を軸方向上側から締め付ける構成とした上で、当該締結ボルト３７を締め付けていく際に当該締結ボルト３７の軸方向の相対位置が変化しないようにすることができる。したがって、このバッテリー端子１ａは、バッテリーポスト５１に締結する際に、軸方向上側から締結ボルト３７を締め付けていっても当該締結ボルト３７の締め付け高さの変化が抑制されるので、当該締結ボルト３７の締め付け作業を行いやすい位置関係を維持することができ、バッテリーポスト５１に締結する際の作業性を向上することができる。
【００７６】
なお、上記実施形態では、締結ボルト３７と螺合する被締結部材を、テーパ面３８ｄを備えるテーパナット３８とし、締結ボルト３７とテーパナット３８との間で軸方向の締付力を発生させる構成を例示したが、被締結部材として別体のナットを有する構成としてもよい。つまり、テーパナット３８の基部３８ａの螺合孔をネジ溝の無い単なる孔部に置き換え、テーパナット３８よりさらに鉛直方向下側に締結ボルト３７と螺合するナットを配置し、締結ボルト３７とナットとの間に発生する軸方向の締付力を長辺方向の押圧力Ｆ２に変換する構成としてもよい。
【００７７】
なお、第二実施形態のバッテリー端子１ａでは、本体部２１は、第一実施形態のバッテリー端子１と同様の構成であるので、バッテリー端子１ａの本体部２１も、図７〜１１を参照して説明したように、第一実施形態のバッテリー端子１の本体部２１と同様の手順で組み立てることができる。したがって、第一実施形態と同様に、従来の本体部（環状部）の上下積層構造を連結する構成と比較して、プレス加工や折り曲げ加工の工程を省略することができ、従来に対して比較的小規模な設備で製造可能である。
【００７８】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更を行うことができる。上記実施形態及びその変形は、発明の範囲や要旨に含まれると同様に、特許請求の範囲に記載された発明とその均等の範囲に含まれるものである。
【符号の説明】
【００７９】
１，１ａ  バッテリー端子
２１  本体部
２３，３３  締付部
２４  上側分割体（第一分割体）
２５  下側分割体（第二分割体）
２４ａ，２５ａ  環状部
２４ｃ，２５ｃ  ポスト挿入孔
２４ｄ，２５ｄ  スリット
２４ｊ  折り返し部（誘導部材）
２６，３６  貫通板
２６ａ  抜け止め部
２６ｂ  螺合孔（締結部材支持部、被締結部材）
２７，３７  締結ボルト（締結部材）
２８  スペーサ（押圧力変換部材）
３６ｂ  孔部（締結部材支持部）
３８  テーパナット（被締結部材、押圧力変換部材）
５０  バッテリー
５１  バッテリーポスト
【図１】
2015115236.tif 000003
【図２】
2015115236.tif 000004
【図３】
2015115236.tif 000005
【図４】
2015115236.tif 000006
【図５】
2015115236.tif 000007
【図６】
2015115236.tif 000008
【図７】
2015115236.tif 000009
【図８】
2015115236.tif 000010
【図９】
2015115236.tif 000011
【図１０】
2015115236.tif 000012
【図１１】
2015115236.tif 000013
【図１２】
2015115236.tif 000014
【図１３】
2015115236.tif 000015
【図１４】
2015115236.tif 000016
【図１５】
2015115236.tif 000017